(57)【要約】【課題】直線状に伸びる管楽器だけでなく、Ｕ字型の管体を含んだ金管楽器であっても、吹奏楽器の管体内に付着した不純物が混じった水分を払拭することができる汎用性が高い吹奏楽器用掃除具を提供することを課題とした。【解決手段】吹奏楽器用掃除具をなす摺動手段を、少なくとも先方部が柔軟に屈曲可能とされた軸体とし、軸体の先方部がＵ字型の管体の湾曲部に突き当たると、先方部が前記湾曲部に沿って進行方向を変え、Ｕ字型の管体の湾曲部に沿って誘導されるようにし、前記湾曲部の内面に付着された水分も払拭できるようにした。また、管体の内方に突起部が突出されている吹奏楽器については、水分払拭手段をなす袋体を管内部に密着させ、突起部の基端部周縁に付着された水分も払拭できるようにした。【選択図】図１
2019180803.tif 000002
【特許請求の範囲】
【請求項１】
湾曲された管体を含む吹奏楽器に適用される吹奏楽器用掃除具において、
前記吹奏楽器をなす管体の内部に付着した水分を拭い取る水分払拭手段と、前記管体に沿って摺動される摺動手段とを含み、
前記水分払拭手段は吸湿布からなり、先方が閉じると共に後方が開放された袋体とされ、
前記摺動手段は、少なくとも先方部が柔軟に屈曲可能とされた軸体とされ、
前記袋体に覆われた前記先方部が、前記湾曲された管体の内面に接して、屈曲されて往復摺動可能とされ、
前記摺動手段の往復摺動により、前記湾曲された管体の内面の水分が払拭される、
ことを特徴とする吹奏楽器用掃除具。
【請求項２】
前記先方部が、柔軟な樹脂製の軸体とされている、
ことを特徴とする請求項１に記載の吹奏楽器用掃除具。
【請求項３】
前記先方部につながる軸体の基端部が、内部に細線を撚り合わせた線材を格納させた柔軟な樹脂製の軸体である、
ことを特徴とする請求項１又は請求項２に記載の吹奏楽器用掃除具。
【請求項４】
前記線材の直径が１．５ｍｍ以上５．０ｍｍ以下とされている、
ことを特徴とする請求項３に記載の吹奏楽器用掃除具。
【請求項５】
前記先方部につながる基端部の軸体が複数の軸体からなり、各々の軸体が連結可能とされている、
ことを特徴とする請求項１又は請求項２に記載の吹奏楽器用掃除具。
【請求項６】
前記袋体の長さが前記軸体の長さよりも短く、前記袋体の後方端部に環状の手掛部を有している、
ことを特徴とする請求項１乃至請求項５のいずれか一項に記載の吹奏楽器用掃除具。
【請求項７】
前記袋体の先方内面に、軸体の前記先方部を接しさせ空回りをさせない空回り抑制手段を有している、
ことを特徴とする請求項１乃至請求項６のいずれか一項に記載の吹奏楽器用掃除具。
【請求項８】
前記先方部が扁平に形成されている、
ことを特徴とする請求項１乃至請求項７のいずれか一項に記載の吹奏楽器用掃除具。
【発明の詳細な説明】
【技術分野】
【０００１】
本発明は、吹奏楽器の管体内に付着した不純物が混じった水分を払拭するための吹奏楽器用掃除具に関する。より詳細には、吹奏楽器をなす管体の湾曲された管体部分であっても、管体の内部に付着した唾液や潤滑剤等が混じった水分を速やか且つ簡易に払拭することができる、日常的に使用しやすい吹奏楽器用掃除具に関する。ここで吹奏楽器は、木管楽器と金管楽器を含む。
【背景技術】
【０００２】
トロンボーン、トランペットなどの金管楽器は、Ｕ字型の管体を含む管体経路の長さが変えられて、演奏されている。トロンボーンの場合には、Ｕ字型のスライド部をスライド操作させることにより、トランペットの場合には、迂回経路を設けたピストンバルブ部をバルブ操作させることにより、音程を変えるための管体経路の長さが変えられている。【０００３】
演奏者が吹奏楽器を演奏すると、呼気にふくまれていた水分が、唾液まじりの水滴になって管体の内面に付着する。特に、フルート、ピッコロなどの管楽器の場合には、水滴が音程を変える音孔を塞ぐと、演奏者が意図する音程の演奏ができなくなる。そこで、演奏中でも、演奏の区切り毎に、布を巻いた棒が管体の中に挿し込まれて、管体の内面の水分が払拭されていた。【０００４】
また、金管楽器の場合には、管体の内面に水分などが付着すると音色が変わるため、楽器の排出弁を操作して水分排出孔を開けて、水分を排出させている。演奏後には、管体を分解させて、管体の直線部には、布を巻き付けた掃除棒を挿し込んで掃除がされている。【０００５】
また、Ｕ字型の管体の部分は、紐の一方の端部に布に包んだ錘を付設させ、他方の端部に平坦な布を付設させた掃除布を使って、掃除がされていた。具体的には、Ｕ字型の管体の中に、掃除布の錘を滑り込ませるようにし、錘に誘導された布を管体の内面に接触させるようにして、Ｕ字型の管体の内部の水分が払拭されていた。【０００６】
天然木の管体からなるクラリネットやピッコロなどの場合には、演奏の区切り毎に、掃除布を通して水分を拭き取るようにし、音程が変わらないようにされている。天然木の管体は、水分を拭き取っておかないと、管体にひび割れが発生して音色、音程が悪化すると共に全体の寿命が短くなるため、演奏後には入念に水分を払拭させる掃除がされていた。【０００７】
一方、スライド操作やバルブ操作などにより演奏する金管楽器をなすＵ字型の管体は、湾曲させた管体と直線状に伸びる管体の端部を突き合わせて、外面から接した管体の周囲を溶着し、一体にしている。突き合わせ部分の継目の内面部分については、小さな段差をなす継目が残ったままの状態とされている。【０００８】
また、金管楽器の管体経路の長さを変化させるスライド部やピストンバルブ部には、摺動性を良くし、管体の密閉性を保つために、潤滑剤が管体の摺動部などに塗布されている。この潤滑剤と、前記の継目に付着した水滴と、空気中の埃とが混ざった不純物を放置しておくと、粘性が高くなり、演奏しにくくなると共に、音程、音色が悪化することにつながっていた。【０００９】
また、不純物を放置しておくと、雑菌が繁殖しやすくなり不衛生なだけでなく、管体の内面のコーティングを劣化・変色させると共に、管体を腐食させるという課題もあった。そこで、演奏者は、演奏後の日常的な手入れとして、楽器を可能な限り小さな単位に分解して、管体内部に付着した水分等を布で払拭している。【００１０】
また、半年に一度は、柔軟に屈曲される軸体の先端に、密集して繊維が植え込まれ、管体に沿って誘導される掃除具を使って、管楽器の管体の内部に溜まった不純物を除去させる手入れがされていた。具体的には、洗浄液が浸み込まれた前記繊維が、管体の中に挿入され、管体に沿って摺動されて、不純物が除去され、その後、水洗い、自然乾燥、潤滑剤注入という手入れにより、楽器が良好な状態とされていた。【００１１】
しかし、演奏後の日常的な手入れについては、Ｕ字型の湾曲部より先には、これまで使用されてきた小さな錘を付設させた掃除布や、掃除棒に巻き付けた掃除布が届きにくいため、Ｕ字型の管体部分の掃除が十分にできないという課題があった。更に、Ｕ字型の管体の継目に掃除布を詰まらせた場合には、楽器全体を分解することも必要であった。従来の掃除具によっては、演奏後において、吹奏楽器の管体の内部の水分を払拭することは困難であり、演奏後の日常的な掃除を十分にすることはできなかった。【００１２】
特許文献１には、本願の発明者が開発した、フルート、ピッコロ等の管楽器用掃除具の技術が開示されている。特許文献１に記載の技術は、演奏者が呼気を吹き込む唄口の近くに位置する音響反射板の内縁の水分を、音響反射板に影響を与えないように払拭させる掃除具に関する技術である。この音響反射板の位置がわずかに変わるだけでも音の響きが変わり、管楽器の音程が大きく影響される。【００１３】
そこで、特許文献１に記載の技術は、掃除具の先端に音響反射板に接した際に、側方に容易に変形される先端部を備えさせて、音響反射板に接した際に、水分払拭手段をなす袋体と袋体の中に挿し込まれた軸体の先端部とをともに側方に変形させ、音響反射板に大きな力が加わらないようにさせている。【００１４】
しかし、特許文献１に記載の掃除具を、金管楽器のＵ字型の管体の部分に挿し込んで、水分を払拭させようとしても、Ｕ字型の管体の湾曲部に、掃除具の先端部が側方に曲がった状態で突き当たり、トランペットなどをなすＵ字型の管体の湾曲部の水分を完全に払拭させることはできなかった。【００１５】
特許文献２には、Ｕ字型をなす管体の内部に付着した潤滑剤などの不純物を除去させるための清掃工具の技術が開示されている。特許文献２に記載の技術によれば、管体の内径に適合した清掃用小片を取付けた軸体を使って、スライド部分の不純物を掻き落とすとされている。しかし、Ｕ字型に曲がった部分には清掃用小片が届かないためＵ字型の管体の内部を清掃することはできず、水分を払拭することもできなかった。【００１６】
特許文献３には、後端部が開放された袋状の水分払拭具と、水分払拭具の先端に設けられた誘導具と、先端側が誘導具に、後端側が水分払拭部の後端部に挿し込まれる軸状部材とからなり、誘導部が軸状部材に対して変位可能とされた掃除具の技術が開示されている。更に、軸状部材が撓み変形可能なワイヤとされ、吸水性を有する繊維を筒状にした水分払拭具の中には、前記軸状部材が挿入された矢の羽の形状をなす柔軟な内部部材が、水分払拭具の内面を支えるようにされている。【００１７】
特許文献３に記載の掃除具を使って管体の水分を払拭させる際には、矢の羽の形状をなす内部部材が管体の大きさに応じて、膨らんだ状態に保たれながら誘導されるため、管体の内面との間に隙間がほとんど生じることがないとされている。しかし、先端の誘導具が略銃弾状の外形とされ、その後端部の開放部に軸状部材をなすワイヤが挿し込まれて一体とされている。掃除の際に、先端の誘導具がワイヤから外れた場合には、管体の内面を損傷させる可能性があるという課題があった。【００１８】
また、誘導部がＵ字型をなす管体に沿って曲がる際に、誘導部が管体の内面に擦れて、管体の内面を汚す可能性があると共に、矢の羽の形状をした内部部材があるため、金管楽器の先端の開いた音増幅部の部分については、水分の除去に適している反面、Ｕ字型の細い管体の部分については滑らかに通過させることが困難であり、金管楽器であっても、適用できる部分が限定されており、掃除具として汎用性が低いという課題があった。【００１９】
また、クラリネットのように、管体内外を貫通させる細い筒体からなる突起部が、管体の内面に突出されている吹奏楽器もある。このような吹奏楽器の場合には、前記の特許文献に記載の技術のいずれによっても、突出された突起部の周囲に付着した水分を払拭させることは不可能であった。
【先行技術文献】
【特許文献】
【００２０】
特許文献１：特開２０１６−８１００２号
特許文献２：実開平０５−７３６９２号
特許文献３：特開２００３−３４５４４７号
【発明の概要】
【発明が解決しようとする課題】
【００２１】
本発明は、直線状に伸びる管楽器だけでなく、Ｕ字型の管体を含んだ金管楽器であっても、吹奏楽器の管体内に付着した不純物が混じった水分を払拭することができる、汎用性が高い吹奏楽器用掃除具を提供することを課題とした。より詳細には、吹奏楽器をなす管体の湾曲された管体部分であっても、管体の内部に付着した不純物が混じった水分を、速やか且つ簡易に払拭することができる吹奏楽器用掃除具を提供することを課題とした。更に、管楽器の内部に突起部を設けて音程を調整させる吹奏楽器であっても、突起部に障害されることなく、管体内の水分を除去することができる、汎用性の高い掃除具を提供することを課題とした。
【課題を解決するための手段】
【００２２】
本発明の第１の発明は、湾曲された管体を含む吹奏楽器に適用される吹奏楽器用掃除具において、前記吹奏楽器をなす管体の内部に付着した水分を拭い取る水分払拭手段と、前記管体に沿って摺動される摺動手段とを含み、前記水分払拭手段は吸湿布からなり、先方が閉じると共に後方が開放された袋体とされ、前記摺動手段は、少なくとも先方部が柔軟に屈曲可能とされた軸体とされ、前記袋体に覆われた前記先方部が、前記湾曲された管体の内面に接して、屈曲されて往復摺動可能とされ、前記摺動手段の往復摺動により、前記湾曲された管体の内面の水分が払拭されることを特徴としている。【００２３】
ここで、付着した水分とは、呼気に含まれた水蒸気が液体となった水滴だけではなく、唾液、潤滑剤、空気中の埃などが粘性を有する液体となったものをいう。湾曲された管体とは、トロンボーンのスライド管などの湾曲された管路をなす部分などをいう。本発明の適用対象の楽器は、湾曲された管路を有する楽器に限定されず、直線状に延びる管路を有する楽器であってもよい。【００２４】
水分払拭手段は、先方部が閉じられ、後方部が開放された筒状に縫合されている。布は、吸水性と速乾性に優れ、曲がった管体の中でも滑りよく、引っ掛からないように誘導され、伸縮性があり、洗濯することができる布であればよく、ポリエステル製が好適であるが限定されない。袋体の外径は限定されないが、吹奏楽器をなす直線状の管路の内径と略同一の外径とされていると、円滑に挿入できると共に、袋体の外面が管路の内面に接して水分を払拭しやすく好適である。【００２５】
摺動手段をなす軸体の先方部は、柔軟に屈曲可能とされている。柔軟に屈曲可能とは、進行方向に先端が突き当たった際に、先端から後方の長さが縮まりつつ、先方部が後方部よりも側方に変位することをいう。屈曲には、軸体全体がＵ字型の管体に沿って滑らかに湾曲されることも含まれる。先方部が、柔軟に屈曲可能であることにより、Ｕ字型の管体の中に挿し込まれた先方部がＵ字型の壁部材に突き当たると、先方部は壁の曲面に沿って進行方向を変え、Ｕ字型の管体の曲線軸に沿って誘導される。先方部の先端がゆるやかな球面状とされていると、より好適である。【００２６】
先方部につながる軸体の基端部の剛性、材質は限定されず、吹奏楽器がなす管路の長さ、形状に応じて決定されればよい。例えば、吹奏楽器がトロンボーンである場合には、スライド管の直線部分の長さは約７０ｃｍであるため、基端部は側方に柔軟に屈曲されなくてもよく、直線状に延び、軽く、折れにくい部材、例えば、ガラス繊維又は炭素繊維素材からなっている軸体が好適である。一方、トランペットの直線部分の長さは短いため、軸体全体が屈曲されやすい方が、管体の中の摺動作業の回数を減らすことができて好適であり、軸体全体が柔軟に屈曲される樹脂体であってもよい。【００２７】
本発明の第１の発明によれば、吹奏楽器を分解した状態として、袋体を軸体にかぶせた状態で、管体の開放端部から軸体を管体の中に挿し込んで、袋体を管体の内面に接しさせるように摺動させる。軸体の先方部がＵ字型の湾曲部に突き当たると、先方部は湾曲部に沿って進行方向を変え、Ｕ字型の管体の湾曲部に沿って誘導される。これにより、曲がった管路であっても、軸体の先方部を覆った袋体が管路の内面に付着した水分を速やか且つ簡易に払拭することができ、吹奏楽器の維持管理が容易になるだけでなく、製造段階の試奏、楽器店での試奏の後の掃除、修理も容易になるという従来にない有利な効果を奏する。【００２８】
本発明の第２の発明は、第１の発明の吹奏楽器用掃除具において、前記先方部が、柔軟な樹脂製の軸体とされていることを特徴としている。第２の発明によれば、水分払拭手段をなす袋体が、Ｕ字型の管体の壁に沿って、先方部が柔軟な樹脂製の軸体により誘導されるため、管体の内部を汚すことも損傷させることもない。【００２９】
本発明の第３の発明は、第１又は第２の発明の吹奏楽器用掃除具において、前記先方部につながる軸体の基端部が、内部に細線を撚り合わせた線材を格納させた柔軟な樹脂製の軸体であることを特徴としている。細線の材質は限定されず、例えば金属線、炭素繊維、ガラス繊維などであればよい。細線とは直径が０．０２ｍｍから０．３ｍｍとされると、変形させやすく、適度の剛性も確保しやすいため好適であるが、線材の直径のほか、吹奏楽器の種類、Ｕ字型をなす吹奏楽器の管体の屈曲曲率に応じて、細線の直径も適宜選択されればよい。【００３０】
例えば、曲率が小さく、Ｕ字型の部分が多い吹奏楽器については曲がりやすい方が好適であり、曲率が大きく、直線状の管路が長い楽器については曲がりにくくてもよい。第３の発明によれば、吹奏楽器用掃除具を、管体の内面に沿って誘導させやすいと共に、軸体を摺動操作させやすいという効果を奏する。【００３１】
本発明の第４の発明は、第３の発明の吹奏楽器用掃除具において、前記線材の直径が１．５ｍｍ以上５．０ｍｍ以下とされていることを特徴としている。細線を撚り合わせた線材の直径が１．５ｍｍから５．０ｍｍ以下とされていることにより、Ｕ字型に曲がっている部分でも、直線状に延びている部分でも、管体の内面に沿って軸体を摺動させやすい。【００３２】
本発明の第５の発明は、第１又は第２の発明の吹奏楽器用掃除具において、前記先方部につながる基端部の軸体が複数の軸体からなり、各々の軸体が連結可能とされていることを特徴としている。基端部をなす軸体を複数に分割し、楽器運搬ケースの中に吹奏楽器用掃除具が格納されやすい。【００３３】
また、吹奏楽器用掃除具として使用する際には、楽器に応じた水分の払拭作業がし易い長さに連結されて使用されればよい。これにより、複数の楽器に適用することができる汎用性の高い吹奏楽器用掃除具とすることができる。【００３４】
本発明の第６の発明は、第１から第５の発明の吹奏楽器用掃除具において、前記袋体の長さが前記軸体の長さよりも短く、前記袋体の後方端部に環状の手掛部を有していることを特徴としている。第６の発明によれば、軸体の長さが袋体の長さよりも長いため、袋体に軸体を挿し込んだ状態で、軸体の後方が袋体よりも突出した状態とされている。また、袋体の後方端部に環状の手掛部を有している。【００３５】
第６の発明によれば、環状の手掛部を手に引っ掛けて、軸体を把持して、管体の中に吹奏楽器用掃除具を挿入して水分払拭をしやすく、袋体の先端部が軸体の先方部からゆるんでだぶついた状態とならず、Ｕ字型の管体の継目にたいしても、吹奏楽器用掃除具が引っ掛りにくいという効果を奏する。【００３６】
本発明の第７の発明は、第１から第６の発明の吹奏楽器用掃除具において、前記袋体の先方内面に、軸体の前記先方部を接しさせ空回りをさせない空回り抑制手段を有していることを特徴としている。空回り抑制手段は、袋体の先端部の筒径が、軸体の先方部に弛みなく密着する太さとされ、軸体を軸動操作させた際に、先方部が袋体からずれなくされる。また、袋体の内面と先方部との間に、滑り止め部材を装着させて空回りを抑制させてもよい。これにより、袋体が空回りされにくくなり、管体内に付着された水分が払拭しやすくなる。【００３７】
本発明の第８の発明は、第１から第７の発明の吹奏楽器用掃除具において、前記先方部が扁平に形成されていることを特徴としている。先方部が偏平に形成されていることにより、クラリネットのように口に咥えるマウスピースの端部に形成された狭い幅の開口部であっても、振動して音を出す先端の振動板に接しない範囲で、従来のように管体の一部を抜くことなく、楽器を組立てた状態のまま水分を払拭でき、演奏の区切りに水分を払拭しやすいという効果を奏する。
【発明の効果】
【００３８】
・本発明の第１の発明によれば、曲がった管路であっても、軸体の先方部を覆った袋体が管路の内面に付着した水分を速やか且つ簡易に払拭することができ、吹奏楽器の維持管理が容易になるだけでなく、製造段階の試奏、楽器店での試奏の後の調整も容易になるという従来にない有利な効果を奏する。
・本発明の第２の発明によれば、水分払拭手段をなす袋体が、Ｕ字型の管体の壁に沿って、先方部が柔軟な樹脂製の軸体により誘導されるため、管体の内部を汚すことも損傷させることもない。
・本発明の第３の発明によれば、吹奏楽器用掃除具を、管体の内面に沿って誘導させやすいと共に、軸体を摺動操作させやすいという効果を奏する。
・本発明の第４の発明によれば、Ｕ字型に曲がっている部分でも、直線状に延びている部分でも、管体の内面に沿って軸体を摺動させやすい。【００３９】
・本発明の第５の発明によれば、複数の楽器に適用することができる汎用性の高い吹奏楽器用掃除具とすることができる。
・本発明の第６の発明によれば、環状の手掛部を引っ張りつつ、軸体を把持して、管体の中に吹奏楽器用掃除具を挿入して水分払拭をしやすく、袋体の先端部が軸体の先方部からゆるんでだぶついた状態とならず、Ｕ字型の管体の継目にたいしても、吹奏楽器用掃除具が引っ掛りにくいという効果を奏する。
・本発明の第７の発明によれば、袋体が空回りされにくくなり、管体内に付着された水分が払拭しやすくなる。
・本発明の第８の発明によれば、先方部が偏平に形成されていることにより、クラリネットのように口に咥えるマウスピースの端部に形成された狭い幅の開口部であっても、振動して音を出す先端の振動板に接しない範囲で、従来のように管体の一部を抜くことなく、楽器を組立てた状態のまま水分を払拭でき、演奏の区切りに水分を払拭しやすいという効果を奏する。
【図面の簡単な説明】
【００４０】
【図１】基端部が折れにくい軸体からなる吹奏楽器用掃除具の説明図（実施例１）。
【図２】基端部の軸体が複数の軸体からなる吹奏楽器用掃除具の説明図（実施例２）。
【図３】基端部が屈曲されやすい軸体からなる吹奏楽器用掃除具の説明図（実施例３）。
【図４】空回り抑制手段が備えられた吹奏楽器用掃除具の説明図（実施例４）。
【発明を実施するための形態】
【００４１】
吹奏楽器用掃除具をなす摺動手段を、少なくとも先方部が柔軟に屈曲可能とされた軸体とした。Ｕ字型の管体を有する吹奏楽器の例として、トロンボーン及びトランペット、吹奏楽器の管体の内方に突起部が突出されている吹奏楽器の例としてクラリネットを説明する。
【実施例１】
【００４２】
実施例１では、先方部が柔軟に屈曲可能な樹脂製の軸体からなると共に、基端部が折れにくい直線状に延びる細軸体からなる摺動手段を含んだ吹奏楽器用掃除具１を、図１を参照して説明する。図１（Ａ）図は、摺動手段１０と水分払拭手段２０とを説明する側面図を示している。図１（Ｂ）図は、吹奏楽器用掃除具の先方部分の拡大図を示している。図１（Ｃ）図は、摺動手段の先方部１１が屈曲された状態を示している。図１（Ｄ）図は、図１（Ｃ）図の一部拡大断面図を示している。図１（Ｄ）図では、理解を容易にするため、水分払拭手段２０をなす袋体２１を破線で示し、摺動手段１０を実線で示し、管体の内面に沿って屈曲された先方部１１を着色して示している。実施例１では、Ｕ字型の管体１００を有する吹奏楽器として、トロンボーンを例として説明する。【００４３】
吹奏楽器用掃除具１は、摺動手段１０と水分払拭手段２０とからなる。摺動手段１０は、先方部１１が柔軟に屈曲可能な樹脂製の軸体からなると共に、先方部につながる基端部が折れにくい直線状に延びる細軸体１２とされている。摺動手段の先方部１１は、断面が円形状の軸体とされ、先端１３がゆるやかな球面形状とされると共に、後端に嵌合凹部１４を有し、細軸体１２の先端に着脱可能とされている。先方部１１の長さは、Ｕ字型の管体１００をなす湾曲部１０１の長さに対して、約３分の２の長さとされている。先方部１１の径の大きさは限定されず、管体１００の太さに応じた大きさとされればよい。先方部１１をなす樹脂製の軸体は、柔軟に屈曲可能であればよく、材質は限定されない。【００４４】
細軸体１２は、カーボンファイバー等からなる折れにくい軸体とされ、先端に樹脂製の先方部１１が装着され、後端に細軸体よりも太い把持部１５が装着される。樹脂製の先方部１１が細軸体１２に着脱可能であるため、吹奏楽器をなすＵ字型の管体１００の太さ、長さに適合するように、細軸体１２に装着させる先方部１１の長さ及び太さが選択される。細軸体１２の長さは、先方部１１がＵ字管の内壁に沿って屈曲された際に、摺動手段１０の後端部がＵ字型の管体１００から外方に出ている長さとされる（図１（Ｃ）図参照）。【００４５】
水分払拭手段２０は、ポリエステル製の吸湿布からなり、先方が閉じられ、後方部が開放された筒状の袋体２１をなすように縫合されると共に、後方端部に環状の手掛部２２を有している。筒状の袋体２１は、細長く伸びる吸湿布を長手方向に沿って折り畳み、先端部２３が軸心方向に対して、ゆるやかに傾斜されるように形成されている。更に、袋体先方部２４の筒径が、軸体の先方部１１に弛みなく密着する太さとされ、摺動手段１０を往復摺動操作させた際に、軸体の先方部１１が袋体２１からずれなくされている。袋体２１の外径は、吹奏楽器の管体１００の内径と略同一とされ、吹奏楽器用掃除具１を管体１００に滑らかに挿入できると共に、袋体２１の外面が管路の内面に接して水分を払拭しやすくされている。【００４６】
袋体２１は、ポリエステル製の布からなり、吸水性と速乾性に優れると共に、曲がった管体の中でも滑りがよく、管体１００内の凹凸に引っ掛からないように誘導される。ポリエステル製の布は伸縮性を有するため、環状の手掛部２２に手を引っ掛けて、袋体から突出された軸体の把持部１５を把持すると、袋体２１が軸体の先方部１１からゆるんでだぶついた状態とならず、Ｕ字型の管体の継目１０２や管体内の突起１０３に対しても、袋体が引っ掛かりにくい。【００４７】
また、乾燥した状態で明るい色の吸湿布を選択しておくと、吸湿布の濡れている部分は暗い色になり、濡れているかどうかが確認しやすい。そうすると、吹奏楽器内部の水分が払拭されたことが確認できると共に、洗濯後に吸湿布が乾いた状態かどうかも確認しやすい。演奏が終了し、管体１００の水分を払拭させた後には、袋体２１から摺動手段１０を引き抜いて分離させれば、袋体２１のみを洗濯させることができ、衛生的である。【００４８】
Ｕ字型の管体１００内に付着された水分を払拭させている状態を、図１（Ｃ）図及び図１（Ｄ）図を参照して説明する。トロンボーンは、管体内部に付着された水分が管体の内壁を伝って湾曲部１０１に溜まりやすいため、湾曲部には水分を排出させる水分排出孔１０４が設けられている（図１（Ｄ）図参照）。この水分排出孔は排水弁１０５により閉鎖され、排水弁１０５を操作させることにより、水分排出孔１０４の近くに溜まった水分を排出できるようにされている（図１（Ｃ）図、図１（Ｄ）図参照）。【００４９】
しかし、水分排出孔１０４をなす筒状体の内端が、管体内面よりも僅かに突出されているため、水分排出孔１０４の近くには排水しきれなかった水分１１０が残ることになる。また、管体の継目には狭い隙間があり、水分１１１が払拭しにくくなっている。そのため、トロンボーンについては、Ｕ字型の管体内部に付着された水分を、二度に分けて払拭させると好適である。【００５０】
具体的には、一度目には、吹奏楽器用掃除具１が一方の開口部１０６から挿し込まれ、片方の直線部と湾曲部１０１の約３分の２について水分が払拭される（図１（Ｃ）図参照）。二度目には、吹奏楽器用掃除具が他方の開口部１０７から挿し込まれ、残部について水分が払拭され、Ｕ字型の管体１００に付着された水分が残らないように払拭される。【００５１】
吹奏楽器用掃除具１は、袋体２１の後方端部に備えられた環状の手掛部２２に手を引っ掛けて、軸体後方の把持部１５を把持して管体１００に挿入される。先方部の先端１３がゆるやかな球面形状とされると共に、袋体の先端部２３が偏心するようにゆるやかに傾斜されているため、吹奏楽器用掃除具１が管体の継目１０２に引っ掛からず、滑らかに誘導され、先方部１１が管体の湾曲部１０１まで到達される（図１（Ｄ）図参照）。そして、管体の中に挿し込まれた先方部１１が、湾曲部の内壁面１０８に突き当たると、先方部１１は壁の曲面に沿って進行方向を変え、湾曲部１０１の曲線軸に沿って誘導され、湾曲部の内面に付着された水分が払拭される（図１（Ｄ）図参照）。【００５２】
吹奏楽器用掃除具を管体に沿って摺動させることにより、管体の湾曲部に付着された水分を屈曲された先方部が払拭し、管体の直線部と継目とに付着された水分を袋体の周囲が残さず払拭する。更に、先方部が、他方の直線部から湾曲部まで挿し込まれた状態で、吹奏楽器掃除具１を軸心の周りに回転させれば、先方部を覆う袋体の周囲が管体内面にむらなく接し、水分排出孔の周縁に付着された水分も残さず払拭する。これにより、管体の湾曲部であっても、管体の内部に付着した不純物が混じった水分を、速やか且つ簡易に払拭することができる【００５３】
先方部の長さが、湾曲部の長さに対して約３分の２の長さとされるため、二度の摺動操作により屈曲部全体について、水分を残さず払拭させることができる。また、他方の直線部から吹奏楽器用掃除具が挿し込まれる際に、既に水分が払拭された継目等に先方部が達することがない。そのため、袋体の先方部が、既に水分が払拭された凹凸部等と擦れ合うことがなく、袋体の先方部が引っ掛かりにくい。
【実施例２】
【００５４】
実施例２では、摺動手段３０をなす細軸体が連結可能とされた吹奏楽器用掃除具２を、図２を参照して説明する。図２（Ａ）図は、摺動手段３０の側面図を示している。図２（Ｂ）図は、細軸体を連結させている吹奏楽器用掃除具２の側面図を示している。実施例２では、実施例１の摺動手段と同様の構成については、同一の符号を付し、説明を省略している。細軸体を連結可能とさせる連結部材を一部切欠き断面図により示している。【００５５】
摺動手段３０は、先方部１１につながる基端部の軸体が複数の細軸体３１，３２からなり、複数の細軸体の中央部に連結部材３３が配設され、各々の細軸体が連結可能とされている（図２（Ａ）図，図２（Ｂ）図参照）。先方側の細軸体３１の後端には、連結部材３３をなす連結雌ねじ部３４が備えられ、後方側の細軸体３２の先端には連結部材３３をなす連結雄ねじ部３５が備えられている。【００５６】
各々の細軸体が連結された状態では、約７０ｃｍの長さのクラリネットや、Ｕ字型の管体の直線部が長い吹奏楽器、例えばトロンボーンに適用できる（図２（Ｂ）図参照）。長く伸びる軸体を分割させることができるため、吹奏楽器を分割して運搬する楽器ケースに、分割した状態で吹奏楽器用掃除具を格納することもできる。
【実施例３】
【００５７】
実施例３では、摺動手段５０をなす軸体５２の全体が、柔軟に屈曲可能とされた吹奏楽器用掃除具３を、図３を参照して説明する。図３（Ａ）図は、摺動手段５０と水分払拭手段６０をなす袋体６１の側面図を示している。図３（Ｂ）図は、軸体の先方部５１が屈曲された状態を示している。図３（Ｃ）図は、軸体５２の全体が滑らかに湾曲された状態を示している。実施例３では、直線部の長さが短いＵ字型の管体２００が使われているトランペットを例として説明する。【００５８】
摺動手段５０は、柔軟に屈曲可能な中空の樹脂製の軸体５２と、樹脂製の軸体５２の基端部に格納された細線が撚り合された線材５３とからなっている（図３（Ａ）図参照）。線材５３は、ステンレス製の細線が撚り合わせされており、直径が約２ｍｍとされている。管体２００の湾曲形状に応じて変形させやすいと共に、軸体の基端部５４に適度な剛性を備えさせている。線材の後端部５５は、線材が軸体５２の中空部５６の先方にずれないように、樹脂製の軸体５２の後方端部に固着されている。【００５９】
先方部５１が、中空の樹脂製の軸体のみからなっているため、線材５３を格納させている基端部５４と比べて、より柔軟に屈曲可能な状態とされている（図３（Ａ）図参照）。先方部５１の長さは、Ｕ字型の管体２００をなす湾曲部２０１の長さに応じて決定されればよい。トランペット用であれば、３０ｍｍから６０ｍｍとされればよい。中空の樹脂製の軸体５２は、前記線材５３を格納できるように、中空部５６の内径が線材の外径よりも太くされている。【００６０】
一方、樹脂製の軸体５２の外径は限定されず、管体２００内に円滑に挿入可能な太さとされればよい。樹脂製の軸体５２の材質は限定されないが、公知のポリ塩化ビニル樹脂・シリコン樹脂とされると、表面の摩擦力が小さく袋体６１の装着と取外しが容易である。軸体５２の先端部５７の形状は、滑らかな半球形状とされ（図３（Ａ）図参照）、管体の継目２０２に引っ掛かることなく、滑らかに摺動される（図３（Ｂ）図参照）。【００６１】
また、樹脂製の軸体５２は、巻軸に巻き回された長い樹脂製の軸体の一部が切り出されているため、巻き癖によりゆるやかに湾曲されている。Ｕ字型の管体２００に付着された水分を払拭させる際に、軸体５２の巻き癖による凸方向を、管体の湾曲部２０１の凸方向に揃えて挿入させるようにすると、より円滑に吹奏楽器用掃除具３を管体の湾曲部２０１に挿入させることができる（図３（Ｂ）図参照）。【００６２】
水分払拭手段６０をなす袋体６１は、実施例１と同様に、ポリエステル製の吸湿布からなり、先方が閉じられ、後方部が開放された筒状の袋体をなすように縫合され、後方端部に環状の手掛部６２を有している（図３（Ａ）図参照）。筒状の袋体６２は、細長く伸びる吸湿布を長手方向に沿って折り畳み、袋体の先端部６３が偏心させるように、ゆるやかに傾斜させて縫合させている。袋体６１の外径は、吹奏楽器の管体２００の内径と略同一とされ、吹奏楽器用掃除具３を管体２００に円滑に挿入できると共に、袋体６１の外面が管体の内面に接して水分を払拭しやすくされている。【００６３】
吹奏楽器用掃除具３によりＵ字型の管体２００内に付着された水分２１０を払拭させている状態を、図３（Ｂ）図及び図３（Ｃ）図を参照して説明する。トランペットの場合には、Ｕ字型の管体の直線部２０３が短いため、管体全体に付着された水分が一度に払拭される（図３（Ｃ）図参照）。水分を払拭させる際には、軸体５２の巻き癖による凸方向を、管体の湾曲部２０１の凸方向に揃えて、吹奏楽器用掃除具３がＵ字型の管体２００に挿入される（図３（Ｂ）図参照）。【００６４】
先方部５１が湾曲部の内壁面２０４に突き当たると、先方部６１が側方に屈曲されて湾曲部２０１に沿って進行方向を変え、湾曲部２０１に沿って誘導される（図３（Ｂ）図参照）。更に、吹奏楽器用掃除具３を挿し込むと、先方部につながる部分５８も湾曲部に沿って滑らかに誘導され、管体の内面に付着された水分を、残さず払拭することができる（図３（Ｃ）図参照）。これにより、直線部が短い吹奏楽器の管体２００に付着した不純物が混じった水分を、速やか且つ簡易に払拭することができる。水分を払拭させた後には、摺動手段５０全体が柔軟に変形できる特性を利用し、軸体を環状に巻いた状態で楽器ケースに格納させればよい。
【実施例４】
【００６５】
実施例４では、空回り抑制手段を備えさせた吹奏楽器用掃除具４を、図４を参照して説明する。図４（Ａ）図は、摺動手段７０と水分払拭手段８０をなす袋体８１の側面図を示し、図４（Ｂ）図は、先方部７１の拡大平面図を示している。図４（Ｃ）図は、吹奏楽器をなす管体の内部に水分３１０が付着されている状態を示している。図４（Ｄ）図は、管体に付着された水分を払拭させている状態を示している。図４（Ｃ）図及び図４（Ｄ）図では、吹奏楽器の断面図を示し、吹奏楽器用掃除具４を実線で示している。実施例４では、管体の内部に突起部を設けて音程を調整させる吹奏楽器としてクラリネットを例として説明する。【００６６】
クラリネットをなす管体３００の一部を、図４（Ｃ）図を参照して説明する。図４（Ｃ）図では、口で咥えるマウスピース３０１と、音程を調整させる音程調整管３０２と、マウスピースと音程調整管を連結させる連結管３０３を示し、残部については図示を省略している。マウスピース３０１の端部には、振動して音を出す振動板３０４が装着されている。音程調整管３０２は、複数の音程調整用の音孔部を備えており、このうち２つの音孔部３０５，３０５は、管体の内部に突起部３０６を突出させている。この突起部３０６の基端部周縁に水分３１０が付着しやすく、他の音孔部３０７についても音孔が水分に塞がれると演奏者が意図する音程の演奏ができなくなる。【００６７】
摺動手段７０は、先方部７１が扁平に形成された樹脂製の軸体と、先方部につながる二つに分割される基端部の軸体７２,７３とからなり、各々の軸体が連結可能とされている（図４（Ａ）図参照）。各々の軸体は、連結部材７４により連結される。先方部７１の形状は、側面視で一方に傾斜された偏平な形状をなすと共に、平面視で先端７５がゆるやかに丸められている（図４（Ａ）図，図４（Ｂ）図参照）。摺動手段７０を、各々の軸体７２，７３に分割させれば、楽器運搬ケースの中に、楽器と共に吹奏楽器用掃除具４を格納させることができる。【００６８】
袋体８１は、軸体の先方部に弛みなく密着される筒径とされると共に、外形が側面視で先端８３が偏平形状をなすと共に、平面視で先端８３がゆるやかに丸められている。（図４（Ａ）図，図４（Ｂ）図参照）。この袋体の先端部８２が空回り抑制手段をなし、軸体の先方部７１が袋体８１からずれないようにされている。そのため、袋体８１の後方端部に備えられた手掛部８４に手を掛けて、少し手前に引っ張ることにより、袋体２１が軸体の先方部１１からゆるんでだぶついた状態とならず、突起部３０６の基端部周縁に付着された水分３１０も払拭させることができる。【００６９】
（その他）
・今回開示された実施の形態はすべての点で例示であって、制限的なものではないと考えられるべきである。本発明の技術的範囲は、上記した説明に限られず特許請求の範囲によって示され、特許請求の範囲と均等の意味および範囲内でのすべての変更が含まれることが意図される。
【符号の説明】
【００７０】
１，２，３，４…吹奏楽器用掃除具、１０，３０，５０，７０…摺動手段、
１１，７１…先方部、１２，５２，７２，７３…細軸体、１３…先端、
１４…嵌合凹部、１５…把持部、２０…水分払拭手段、２１，６１，８１…袋体、
２２，６２，８４…手掛部、２３…先端部、
２４…袋体先方部、３１，３２…細軸体、３３…連結部材、３４…連結雌ねじ部、
３５…連結雄ねじ部、５１…先方部、５３…線材、５４…基端部、
５５…後端部、５６…中空部の先方、５７…先端部、５８…先方部につながる部分、
６０…水分払拭手段、６３…先端部、７４…連結部材、７５…先端、
８０…水分払拭手段、８２…先端部、８３…先端、、
１００，２００，３００…管体、１０１，２０１…湾曲部、
１０２，２０２…継目、１０３…突起、１０４…水分排出孔、
１０５…排水弁、１０６、１０７…開口部、１０８…内壁面、
１１０，１１１，２１０，３１０…水分、２０３…直線部、２０４…内壁面、
３０１…マウスピース、３０２…音程調整管、３０３…連結管、
３０４…振動板、３０５…音孔部、３０６…突起部、
３０７…他の音孔部
【図１】
2019180803.tif 000003
【図２】
2019180803.tif 000004
【図３】
2019180803.tif 000005
【図４】
2019180803.tif 000006
【手続補正書】
【提出日】平成30年7月2日(2018.7.2)
【手続補正１】
【補正対象書類名】特許請求の範囲
【補正対象項目名】請求項１
【補正方法】変更
【補正の内容】
【請求項１】
湾曲された管体を含む吹奏楽器に適用される吹奏楽器用掃除具において、
前記吹奏楽器をなす管体の内部に付着した水分を拭い取る水分払拭手段と、前記管体に沿って摺動される摺動手段とを含み、
前記水分払拭手段は吸湿布からなり、先方が閉じると共に後方が開放された袋体とされ、
前記摺動手段は、前記湾曲された管体に沿って誘導される軸体とされ、
前記軸体の先方部が、柔軟に屈曲可能とされると共に前記湾曲された管体の曲線軸に沿って進行方向を変えて湾曲部に進入するように延び、
前記袋体に覆われた前記先方部が、前記湾曲された管体の内面に接して往復摺動可能とされ、
前記摺動手段の往復摺動により、前記湾曲された管体の内面の水分が払拭される、
ことを特徴とする吹奏楽器用掃除具。
【手続補正２】
【補正対象書類名】明細書
【補正対象項目名】００２２
【補正方法】変更
【補正の内容】
【００２２】
本発明の第１の発明は、湾曲された管体を含む吹奏楽器に適用される吹奏楽器用掃除具において、前記吹奏楽器をなす管体の内部に付着した水分を拭い取る水分払拭手段と、前記管体に沿って摺動される摺動手段とを含み、前記水分払拭手段は吸湿布からなり、先方が閉じると共に後方が開放された袋体とされ、前記摺動手段は、前記湾曲された管体に沿って誘導される軸体とされ、前記軸体の先方部が、柔軟に屈曲可能とされると共に前記湾曲された管体の曲線軸に沿って進行方向を変えて湾曲部に進入するように延び、前記袋体に覆われた前記先方部が、前記湾曲された管体の内面に接して往復摺動可能とされ、前記摺動手段の往復摺動により、前記湾曲された管体の内面の水分が払拭されることを特徴としている。
【国際調査報告】
2019180803.tif 000007
2019180803.tif 000008